(57)【要約】【課題】机上面から試料載置面までの高さを低くし、かつ標本の引っ掛りを少なくすること。【解決手段】ベース１０における実体顕微鏡本体１４の観察光軸Ｄが通る点を中心とする周辺に、複数の発光ダイオード２９を照明基板２８上に実装してなる第１の照明部２５を設ける。【選択図】    図２
2005017905.tif 000002
【特許請求の範囲】
【請求項１】
標本を載置するベース上に支柱を設け、この支柱に対してアーム部を焦準機構の動作により昇降可能に設け、前記アーム部に対して実体顕微鏡本体を着脱可能に取り付けた実体顕微鏡において、
前記標本を照明する複数の発光ダイオードを平面上に配置してなる照明部を具備したことを特徴とする実体顕微鏡。
【請求項２】
前記照明部は、前記ベース、前記アーム部又は前記実体顕微鏡本体の先端部のうち少なくとも１箇所に設けられたことを特徴とする請求項１記載の実体顕微鏡。
【請求項３】
前記照明部は、前記ベース、前記アーム部又は前記実体顕微鏡本体の先端部に対して着脱可能に設けられたことを特徴とする請求項１記載の実体顕微鏡。
【請求項４】
前記照明部は、電力供給用のケーブルを有し、このケーブルをコネクタを介して電源側と接続又は切り離し可能であることを特徴とする請求項３記載の実体顕微鏡。
【請求項５】
前記ベース又は前記アーム部のいずれか一方又は両方に設けられる前記照明部は、
複数の前記発光ダイオードと、
前記複数の発光ダイオードを平面上に実装する基板と、
前記複数の発光ダイオードから発光された光束を拡散する拡散素子と、
を有することを特徴とする請求項２又は３項記載の実体顕微鏡。
【請求項６】
前記照明部は、凹形状の枠内に前記基板を設け、かつ前記枠の上部と前記拡散素子との間にＯリングを圧縮して挟み込んで、前記枠の上部に前記拡散素子を固定したことを特徴とする請求項５項記載の実体顕微鏡。
【請求項７】
前記実体顕微鏡本体の先端部に設けられる前記照明部は、
複数の前記発光ダイオードと、
前記複数の発光ダイオードから発せられる各光束を前記実体顕微鏡本体の合焦位置に照射されるように傾けて輪帯状に実装し、かつ前記実体顕微鏡本体の先端部に対して着脱可能に嵌合する輪帯状の枠と、
を有することを特徴とする請求項２又は３項記載の実体顕微鏡。
【請求項８】
前記ベースは、少なくとも前記標本を載置する標本載置部を薄型に形成したことを特徴とする請求項１項記載の実体顕微鏡。
【請求項９】
前記ベースは、正面側及び側面側における各縁部に裾広がりに形成された各テーパ部を形成したことを特徴とする請求項１項記載の実体顕微鏡。
【請求項１０】
前記ベースは、正面側及び側面側における各縁部に裾広がりに形成された各テーパ部を形成し、かつ後面側を少なくとも電源部を収納する凸状部に形成したことを特徴とする請求項１項記載の実体顕微鏡。
【請求項１１】
複数の前記照明部を前記ベース、前記アーム部又は前記実体顕微鏡本体の先端部に対してそれぞれ設け、これら照明部を同時又は選択して前記標本を照明可能であることを特徴とする請求項１記載の実体顕微鏡。
【請求項１２】
複数の前記照明部を前記ベース、前記アーム部又は前記実体顕微鏡本体の先端部の少なくとも２箇所に設けると、いずれか１箇所に設けられた前記照明部を点灯し、他の前記照明部を消灯する電源供給制御回路を備えたことを特徴とする請求項１記載の実体顕微鏡。
【請求項１３】
前記発光ダイオードの実装個数の異なる前記各照明部を前記ベース、前記アーム部又は前記実体顕微鏡本体の先端部の少なくとも２箇所に選択的に設ける場合、前記各照明部にそれぞれ略同一値の各電流を供給する電流制御回路を備えたことを特徴とする請求項１記載の実体顕微鏡。
【請求項１４】
前記電流制御回路は、複数の前記照明部のうち必要電流値の大きい前記照明部に合わせることを特徴とする請求項１１記載の実体顕微鏡。
【請求項１５】
前記複数の発光ダイオードは、発光色の異なるものを用いることを特徴とする請求項１記載の実体顕微鏡。
【発明の詳細な説明】
【０００１】
【発明の属する技術分野】
本発明は、架台の薄型化を図った実体顕微鏡に関する。
【０００２】
【従来の技術】
実体顕微鏡は、透過照明を行うことによって例えば生物標本を生きたまま観察したり、生物標本に対して作業を行ったり、又半導体デバイス製造工程における半導体デバイスの検査や作業に用いられる。
【０００３】
このような実体顕微鏡の透過照明装置としては、例えば特許文献１に記載されている技術がある。この特許文献１には、図１８に示すようにランプ１から放射された光を光学部材２により集光してミラー３に照射し、このミラー３で光を垂直方向に偏向してガラスステージ４を透過させて標本に照射し、この照明された標本を顕微鏡鏡筒により観察することが記載されている。
【０００４】
実体顕微鏡の倍率は、通常の顕微鏡よりも低くかつ観察できる視野が広いために、照明する領域を大きくしなければならず、照明光の光束の断面を大きくする必要がある。実体顕微鏡の透過照明装置は、実体顕微鏡において標本を載置するステージを備えたベースに設けられるために、ベースの厚さが大きくなる。
【０００５】
このため、実体顕微鏡を置く机上面から標本の載置面までが高くなり、観察者の手の置き場が無く、又は手が置きがたく、観察しながらの作業が行いずらいという問題がある。
【０００６】
このような問題を解決するものとして特許文献２に記載された技術がある。この特許文献２には、図１９に示すように標本載置面５を有する架台基部６と、標本を載置する部分を囲むように架台基部６に着脱可能に設けられたハンドレスト７とを有する顕微鏡用架台が記載されている。ハンドレスト７は、標本載置面５から下方に向って傾斜すると共に、観察者から見て斜め左右方向に張り出した張出部８ａ、８ｂを有する。このようなハンドレスト７を設けることにより、机上面から標本載置面５までの高さが高くなっても、観察者は手の置き場を確保できる。
【０００７】
しかしながら、特許文献２では、観察しながらの操作性を向上できるものの、依然として机上面から標本載置面５までが高くなっているために、標本を交換するときの操作性を向上させることは望めなく、それどころか標本を張出部８ａ、８ｂに引掛けてしまうおそれがある。
【０００８】
さらに、このような問題を解決するものとして特許文献３に記載された技術がある。この特許文献３には、複数の発光ダイオードを配列してなる照明部を用いたことが記載されている。
【０００９】
【特許文献１】
実用新案登録第２５２９８８４号公報
【００１０】
【特許文献２】
特開２０００−１０５３４１号公報
【００１１】
【特許文献３】
特開２００２−１８９１７４号公報
【００１２】
【発明が解決しようとする課題】
しかしながら、特許文献３では、標本を載置するベースの角部に標本を引掛けるという問題があり、さらに発光ダイオードを点灯するための高さがある部品を実装する電源基板を納める構造が必要になる。
【００１３】
そこで本発明は、机上面から標本載置面までの高さを低くし、かつ標本の引っ掛りを少なくできる実体顕微鏡を提供することを目的とする。
【００１４】
【課題を解決するための手段】
本発明は、標本を載置するベース上に支柱を設け、この支柱に対してアーム部を焦準機構の動作により昇降可能に設け、アーム部に対して実体顕微鏡本体を着脱可能に取り付けた実体顕微鏡において、標本を照明する複数の発光ダイオードを平面上に配置してなる照明部を具備した実体顕微鏡である。
【００１５】
本発明の実体顕微鏡における照明部は、ベース、アーム部又は実体顕微鏡本体の先端部のうち少なくとも１箇所に設けることが好ましい。
【００１６】
本発明の実体顕微鏡における照明部は、ベース、アーム部又は実体顕微鏡本体の先端部に対して着脱可能に設けることが好ましい。
【００１７】
本発明の実体顕微鏡における照明部は、電力供給用のケーブルを有し、このケーブルをコネクタを介して電源側と接続又は切り離し可能であることが好ましい。
【００１８】
本発明の実体顕微鏡におけるベース又はアーム部のいずれか一方又は両方に設けられる照明部は、複数の発光ダイオードと、複数の発光ダイオードを平面上に実装する基板と、複数の発光ダイオードから発光された光束を拡散する拡散素子とを有することが好ましい。
【００１９】
本発明の実体顕微鏡における照明部は、凹形状の枠内に基板を設け、かつ枠の上部と拡散素子との間にＯリングを圧縮して挟み込んで、枠の上部に拡散素子を固定したことが好ましい。
【００２０】
本発明の実体顕微鏡における実体顕微鏡本体の先端部に設けられる照明部は、複数の発光ダイオードと、複数の発光ダイオードから発せられる各光束を実体顕微鏡本体の合焦位置に照射されるように傾けて輪帯状に実装し、かつ実体顕微鏡本体の先端部に対して着脱可能に嵌合する輪帯状の枠とを有することが好ましい。
【００２１】
本発明の実体顕微鏡におけるベースは、少なくとも標本を載置する標本載置部を薄型に形成したことが好ましい。
【００２２】
本発明の実体顕微鏡におけるベースは、正面側及び側面側における各縁部に裾広がりに形成された各テーパ部を形成したことが好ましい。
【００２３】
本発明の実体顕微鏡におけるベースは、正面側及び側面側における各縁部に裾広がりに形成された各テーパ部を形成し、かつ後面側を少なくとも電源部を収納する凸状部に形成したことが好ましい。
【００２４】
本発明の実体顕微鏡における複数の照明部をベース、アーム部又は前記実体顕微鏡本体の先端部に対してそれぞれ設け、これら照明部を同時又は選択して標本を照明可能であることが好ましい。
【００２５】
本発明の実体顕微鏡における複数の照明部をベース、アーム部又は前記実体顕微鏡本体の先端部の少なくとも２箇所に設けると、いずれか１箇所に設けられた照明部を点灯し、他の照明部を消灯する電源供給制御回路を備えたことが好ましい。
【００２６】
本発明の実体顕微鏡における発光ダイオードの実装個数の異なる各照明部をベース、アーム部又は実体顕微鏡本体の先端部の少なくとも２箇所に選択的に設ける場合、各照明部にそれぞれ略同一値の各電流を供給する電流制御回路を備えたことが好ましい。
【００２７】
本発明の実体顕微鏡における電流制御回路は、複数の照明部のうち必要電流値の大きい照明部に合わせることが好ましい。
【００２８】
本発明の実体顕微鏡における複数の発光ダイオードは、発光色の異なるものを用いることが好ましい。
【００２９】
【発明の実施の形態】
以下、本発明の第１の実施の形態について図面を参照して説明する。
【００３０】
図１は実体顕微鏡の外観図であり、図２は同顕微鏡の一部断面図である。ベース１０上に支柱１１が取り付けられている。この支柱１１には、アーム部１２が図示しないガイド機構を介して上下方向（合焦方向）に移動可能に設けられている。このアーム部１２は、焦準ハンドル１３の回転操作によってガイド機構を介して支柱１１に対して上下移動する。
【００３１】
アーム部１２の先端部には、実体顕微鏡本体１４が着脱可能に取り付けられている。この実体顕微鏡本体１４は、下部に対物レンズを収納する対物レンズ用鏡筒１５を備えると共に、上部に接眼部１６を備える。
【００３２】
ベース１０における正面側、すなわち実体顕微鏡本体１４の観察光軸Ｄが通る点を中心とする周辺には、高さＨのベース薄板部１７が形成されている。このベース薄板部１７における観察光軸Ｄの通る中央部には、開口部１８が設けられている。この開口部１８には、標本１９を載せたガラスプレート２０が嵌合しながら落とし込まれている。
【００３３】
ベース１０における後方側、すなわち支柱１１の取付側には、ベース薄板部１７の上面よりも上方に突出したベース凸部２１が形成されている。
【００３４】
又、ベース１０における正面側及び両側面側の縁部には、各テーパ部２２〜２４が形成されている。これらテーパ部２２〜２４は、ベース薄板部１７の上面から縁部に向って下方に傾斜する裾広がりに形成されている。
【００３５】
ベース１０のベース薄板部１７におけるガラスプレート２０の下方には、第１の照明部２５が設けられている。この第１の照明部２５は、ガラスプレート２０と同様に、ベース薄板部１７の開口部１８内に嵌合しながら落とし込まれ、引っ掛り部２６に引っ掛って位置決めされている。
【００３６】
図３は第１の照明部２５の具体的な構成図である。第１の照明部２５は、引っ掛り部２６上に当接して保持される凹形状の枠２７を有する。この枠２７内には、照明基板２８が取り付けられている。この照明基板２８上には、複数の発光ダイオード２９が平面上に例えば縦横方向に実装されている。これら発光ダイオード２９は、例えばチップタイプを用いる。
【００３７】
枠２７の上部には、乳白色板又は拡散板３０がガラスプレート２０と枠２７との間に止め板３１及びビス３２により挟み込まれるように固定されている。又、枠２７と乳白色板又は拡散板３０との間には、Ｏリング３３が止め板３２及びビス３３により圧縮されて挟み込まれている。乳白色板又は拡散板３０は、照明基板２８上における複数の発光ダイオード２９を実装する範囲よりも大きなサイズを有している。
【００３８】
このように第１の照明部２５は、照明基板２８上に複数の発光ダイオード２９を実装した構成なので、薄型に形成できる。これにより、第１の照明部２５を取り付けるベース薄板部１７は、高さＨの薄型化を可能にする。
【００３９】
例えば、ベース薄板部１７は、図２に示すように高さＨを約２５ｍｍ、机上面Ａから各テーパ部２２〜２４の始点までの距離Ｇを約８ｍｍ、机上面Ａからベース凸部２１の上面までの距離Ｆを約３５ｍｍ、図１に示すようにベース１０の最大幅Ｊを約２４０ｍｍに形成できる。
【００４０】
一方、ベース凸部２１上には調光ボリューム３４が取り付けられ、ベース凸部２１の側面には電源スイッチ３５が設けられ、ベース凸部２１の背面にはインレット３６が設けられている。このインレット３６には、電源ケーブル３７が着脱自在に接続されている。
【００４１】
ベース凸部２１内部には、図２に示すように電源基板３８が取り付けられている。これら調光ボリューム３４、電源スイッチ３５及びインレット３６は、電源基板３８に接続されている。又、電源基板３８と照明基板２８とは、ケーブル３９により接続されている。なお、電源基板３７上には、コンデンサや整流素子等の部品４０が実装されている。
【００４２】
このような構成であれば、電源スイッチ３５を操作して電源を投入すると、電源基板３８からケーブル３９を介して電力が照明基板２８に供給される。これにより、照明基板２８に実装されている複数の発光ダイオード２９が発光する。調光ボリューム３４を操作して抵抗値を可変すると、複数の発光ダイオード２９の発光量が調整される。
【００４３】
複数の発光ダイオード２９から発光された光束は、乳白色板又は拡散板３０を透過することにより拡散され、この拡散光がガラスプレート２０を透過して標本１９に照射される。
【００４４】
この標本１９を透過した光束Ｌは、実体顕微鏡本体１４内部に設けられた観察光学系を通って各接眼部１６に導かれることにより標本１９の観察像が取得される。
【００４５】
このように標本１９の観察を行うとき、ベース１０のベース薄板部１７は、図２に示すように高さＨに形成され、机上面Ａからの段差が小さくなっている。又、ベース１０に各テーパ部２２〜２４を形成した。これにより、ベース薄板部１７の縁部をなだらかに傾斜する裾広がりとなって、観察者が標本１９を机上面Ａからガラスプレート２０上に載置するときにベース１０の角部等に引っ掛ることなく作業できる。
【００４６】
又、標本１９の観察位置の移動や標本１９への作業を行うとき、観察者は、例えば各テーパ部２２〜２４上に手を置くことにより、標本１９の観察位置の移動や標本１９への作業を行うのに最適な角度に保持でき、かつその状態を安定して維持できる。
【００４７】
このように上記第１の実施の形態によれば、ベース１０における実体顕微鏡本体１４の観察光軸Ｄが通る点を中心とする周辺に、複数の発光ダイオード２９を照明基板２８上に実装してなる第１の照明部２５を設けることにより、ベース１０の正面側に標本１９を載置する周辺部を薄型化したベース薄板部１７を形成するようにした。
【００４８】
又、ベース１０における薄型化の必要ない部分、すなわちベース１０の後方側にベース凸部２１を形成し、このベース凸部２１に調光ボリューム３４及び電源スイッチ３５を設けると共に、インレット３６を介して電源ケーブル３７を接続し、かつベース凸部２１内に電源基板３８を設けるようにした。
【００４９】
これにより、机上面Ａからガラスプレート２０までのベース１０の厚みを薄くでき、観察者が標本１９をガラスプレート２０上に載置したり、標本１９に対して作業、さらには机上面Ａ上に置かれている標本１９とガラスプレート２０上の標本１９との交換をスムーズに行え、その作業性を向上できる。
【００５０】
又、ベース１０の縁部に各テーパ部２２〜２４を形成したので、観察者がベース１０に引っ掛ることなく標本１９の交換をスムーズに行え、さらに各テーパ部２２〜２４上に手を置くことで、手の位置が決まり、標本１９への作業がさらに行い易くなる。
【００５１】
第１の照明部２５における枠２７と乳白色板又は拡散板３０との間にＯリング３３を圧縮して挟み込んでいるので、ガラスプレート２０上に不用意に水分を溢したとしても、第１の照明部２５内部への水分の浸入を防ぐことができる。これにより、水分の浸入により第１の照明部２５内部の照明基板２８を破壊することなく、本発明の実体顕微鏡の信頼性を向上できる。
【００５２】
ベース１０における薄型化の必要ない部分のベース凸部２１内に電源基板３８を設けるようにしたので、この電源基板３８に多少背の高い部品４０を実装したとしても、ベース薄板部１７に影響は与えず、机上面Ａから標本１９までの高さを変えることはない。これにより、ベース凸部２１上に調光ボリューム３４を取り付けたり、ベース凸部２１内部の電源基板３７上の背の高い部品４０を取り付けることが可能である。
【００５３】
又、ベース凸部２１上に調光ボリューム３４を設けたことにより、例えば標本１９の観察時に実体顕微鏡の近傍に置いてあるシャーレを倒して、このシャーレ内の水を溢しても、ベース凸部２１が高いので、溢した水がベース凸部２１と調光ボリューム３４との隙間を通してベース１０内部に浸入することもない。
【００５４】
ベース凸部２１内に電源基板３７を取り付けて実体顕微鏡に電源を一体化して構成できるので、実体顕微鏡と電源とを別体にした場合と比較して、実体顕微鏡を組み立てるときの煩わしさが無く、セットアップを容易にできる。
【００５５】
発光ダイオード２９にチップタイプを用いれば、ベース１０をより薄型化することができ、かつ標本１９に対する照明むらを少なくできる。
【００５６】
さらに、発光ダイオード２９は、長寿命であり、かつ省電力であり、しかも発熱量も少ない。
【００５７】
又、標本１９を観察するときにベース薄板部１７上にシャーレなどの置き場として使用可能である。
【００５８】
次に、本発明の第２の実施の形態について図面を参照して説明する。なお、図１及び図２と同一部分には同一符号を付してその詳しい説明は省略する。
【００５９】
図４は実体顕微鏡の主要部の断面図、図５は同顕微鏡を前面上部から見た外観図である。アーム部１２における支柱１１側と実体顕微鏡本体１４の取付側との間の下部は、傾斜したアーム下端５０を有する。このアーム下端５０には、第２の照明部５１が設けられている。
【００６０】
この第２の照明部５１は、中空にくり抜かれた凹形状の枠５２を有する。この枠５２は、アーム下端５０に対してネジ５３により固定されている。この枠５２内には、照明基板５４がビス５５により固定されている。この照明基板５４上には、複数の発光ダイオード２９が実装されている。この照明基板５４は、放射する照明光Ｃの光束中心を、実体顕微鏡の標本１９に対する合焦位置での観察光軸Ｄ上に照射するようにアーム下端５０に対して角度を持って設けられている。
【００６１】
照明基板５４の裏面には、ケーブル５６が接続されている。このケーブル５６は、枠５２に形成された孔部５７を挿通し、さらに支柱１１に形成された孔部５７内を挿通してベース凸部２１の内部に至り、ベース凸部２１内部の電源基板３８に接続されている。このケーブル５６は、焦準ハンドル１３を操作したときのアーム部１２の上下移動の範囲内で引っ張りが生じない長さに設定されている。
【００６２】
このような構成であれば、電源基板３８からケーブル５６を介して電力が照明基板５４に供給されると、この照明基板５４に実装されている複数の発光ダイオード２９が発光する。このとき調光ボリューム３４を操作して抵抗値を可変すると、複数の発光ダイオード２９の発光量が調整される。
【００６３】
複数の発光ダイオード２９から発光された光束Ｃは、標本１９を斜め上方から傾斜照射する。このとき標本１９により反射した散乱光は、実体顕微鏡本体１４に入射し、この実体顕微鏡本体１４内部に設けられた観察光学系を通って各接眼部１６に導かれることにより標本１９の観察像が取得される。
【００６４】
なお、図示しないがベース１０には上記第１の実施の形態と同様に第１の照明部２５が設けられ、標本１９に対して透過照明を行えるようになっている。
【００６５】
このように上記第２の実施の形態によれば、上記第１の実施の形態に加えてアーム下端５０に第２の照明部５１を設けたので、この第２の照明部５１から標本１９に対して斜め上方から照明を行うことにより、標本１９からの反射散乱光の観察（傾斜）ができる。なお、このとき調光ボリューム３４を操作して第２の照明部５１の各発光ダイオード２９からの発光量を調整することにより反射散乱光の観察に最適な照明光量に設定できる。
【００６６】
又、第１の照明部２５による標本１９への透過照明と第２の照明部５１による傾斜照明とを切替えることが容易にでき、さらに透過照明と傾斜照明とを同時に行って標本１９の像を観察できる。
【００６７】
次に、本発明の第３の実施の形態について図面を参照して説明する。なお、図２と同一部分には同一符号を付してその詳しい説明は省略する。
【００６８】
図６は実体顕微鏡の主要部の断面図である。実体顕微鏡本体１４の対物レンズ用鏡筒１４の先端部６０には、第３の照明部６１が取り付けられている。この第３の照明部６１は、対物レンズ用鏡筒１５の先端部６０に嵌合する輪帯状の枠６２を有する。この枠６２は、対物レンズ用鏡筒１４の先端部６０に対して止めネジ６３により固定される。この枠６２は、下方に開口部を有する凹部６４を有する。この凹部６４内には、輪帯状の照明基板６５が取り付けられている。
【００６９】
この照明基板６５には、複数の発光ダイオード２９が実装されている。これら発光ダイオード２９は、放射する輪帯状の光束Ｅの中心を、実体顕微鏡の標本１９に対する合焦位置での観察光軸Ｄ上に照射するように角度を持って実装されている。
【００７０】
照明基板６５には、ケーブル６６が接続されている。このケーブル６６は、支柱１１に形成された孔部５７内を挿通してベース凸部２１の内部に至り、ベース凸部２１内部の電源基板３８に接続されている。このケーブル６６は、焦準ハンドル１３を操作したときのアーム部１２の上下移動の範囲内で引っ張りが生じない長さに設定されている。
【００７１】
このような構成であれば、電源基板３８からケーブル６６を介して電力が照明基板６５に供給されると、この照明基板６５に実装されている複数の発光ダイオード２９が発光する。このとき調光ボリューム３４を操作して抵抗値を可変すると、複数の発光ダイオード２９の発光量が調整される。
【００７２】
複数の発光ダイオード２９から発光された輪帯状の光束Ｅは、標本１９に対して照射することにより標本１９をリング照明する。このとき標本１９により反射した散乱光は、実体顕微鏡本体１４に入射し、この実体顕微鏡本体１４内部に設けられた観察光学系を通って各接眼部１６に導かれることにより標本１９の観察像が取得される。
【００７３】
なお、図示しないがベース１０には上記第１の実施の形態と同様に第１の照明部２５が設けられ、標本１９に対して透過照明を行えるようになっている。
【００７４】
このように上記第３の実施の形態によれば、上記第１の実施の形態に加えて対物レンズ用鏡筒１４の先端部６０に第３の照明部６１を設けたので、標本１９に対してリング照明して標本１９からの反射散乱光の観察ができる。
【００７５】
又、第１の照明部２５による標本１９への透過照明と第３の照明部６１によるリング照明とを切替えることが容易にでき、さらに透過照明とリング照明とを同時に行って標本１９の像を観察できる。
【００７６】
なお、図４に示す第２の照明部５１と図６に示す第３の照明部６１とを共通して接続可能なコネクタを設け、これら第２の照明部５１又は６１のいずれかを選択して取り付けたり、双方を取り付けられるようにしてもよい。
【００７７】
次に、本発明の第４の実施の形態について図面を参照して説明する。なお、図１乃至図４と同一部分には同一符号を付してその詳しい説明は省略する。
【００７８】
図７は実体顕微鏡の主要部の断面図である。ベース１０におけるベース薄板部１７上の開口部１８には、ガラスプレート２０が嵌合しながら落とし込まれ、図８に示す照明部の拡大図に示すように板バネ７０によって外周方向から保持されている。
【００７９】
ガラスプレート２０の下方には、図８に示すように第１の照明部７１が設けられている。この第１の照明部７１は、ガラスプレート２０と同様に、ベース薄板部１７の開口部１８内に嵌合しながら落とし込まれ、引っ掛り部７２により位置決めされている。
【００８０】
第１の照明部７１は、凹形状の枠７３を有する。この枠７３の外周面には、テーパ溝７４が設けられている。このテーパ溝７４には、固定板７５が押圧されて引っ掛るように嵌まっている。この固定板７５は、引っ掛り部７２に対してねじ７６により固定されている。
【００８１】
枠７３内部には、複数の発光ダイオード２９を実装する照明基板２８がねじ７７により固定されている。
【００８２】
又、引っ掛り部７２の上部には、押え板７８が設けられている。この押え板７８は、下部凸部７９を形成する。この下部凸部７９は、枠７３の係止部８０に係止して枠７９を押さえる。又、押え板７８は、枠７３の開口側に突出する小係止部８１を有する。この小係止部８１は、乳白色板又は拡散板３０を押さえる。
【００８３】
なお、小係止部８１と乳白色板又は拡散板３０との間には、Ｏリング３３が圧縮されて挟み込まれている。乳白色板又は拡散板３０は、照明基板２８上における複数の発光ダイオード２９を実装する範囲よりも大きなサイズを有している。
【００８４】
照明基板２８には、ケーブル３９が接続されている。このケーブル３９は、コネクタ８２を介して電源基板３８のコネクタ部８３に着脱可能に接続されている。なお、ケーブル３９は、ベース１０内の押え板７８の下方においてねじ８４により固定されている。又、コネクタ部８３とインレット３６とは、ケーブル８５により接続されている。
【００８５】
図９は第２の照明部９０を矢視方向Ｓから見た構成図である。アーム部１２の各枠１２ａ、１２ｂの間には、図９に示すように第２の照明部９０が設けられている。この第２の照明部９０は、四角形で内部を中空状の凹形状に刳り抜いた枠９１を有する。この枠９１の互いに対向する両側辺には、各ピン９２、９３がそれぞれ各カバー板９４、９５により外側に外れないように設けられている。これらカバー板９４、９５は、それぞれ各ネジ９６、９７により枠９１に押さえられている。
【００８６】
又、各ピン９２、９３は、その元部と枠１２との間に設けられた各バネ９８、９９により先端部側に向って押す付勢力が加えられている。これにより、各ピン９２、９３は、その各先端部を各枠１２ａ、１２ｂに設けられた各孔１００、１０１にそれぞれ落ち込んで、枠９１をアーム部１２に保持している。
【００８７】
枠９１の内部には、照明基板１０２が固定されている。この照明基板１０２上には、複数の発光ダイオード２９が実装されている。この照明基板１０２は、放射する照明光の光束中心を、実体顕微鏡の標本１９に対する合焦位置での観察光軸Ｄ上に照射するようにアーム部１２の各枠１２ａ、１２ｂに対して角度を持って設けられている。又、枠９１の開口側には、乳白色板又は拡散板１０２が取り付けられている。
【００８８】
照明基板５４の裏面には、ケーブル５６ａの一端が接続されている。このケーブル５６ａは、枠９１の裏面に設けられた孔部１０３を挿通している。このケーブル５６ａの他端は、コネクタ１０４に接続されている。このコネクタ１０４は、支柱１１の上部に設けられた他のコネクタ１０５に接続される。このコネクタ１０５には、ケーブル５６ｂの一端が接続されている。このケーブル５６ｂの他端は、支柱１１内部を挿通してベース凸部２１の内部に至り、ベース凸部２１内部の電源基板３８に接続されている。従って、各ケーブル５６ａと５６ｂとは、各コネクタ１０４、１０５を介して着脱可能になっている。
【００８９】
一方、本実体顕微鏡は、図１０に示すように対物レンズ用鏡筒１５の先端部６０にリング照明を行う第３の照明部６１を取り付けることが可能である。この第３の照明部６１は、図６に示す第３の照明部６１と同様に、対物レンズ用鏡筒１４の先端部６０に対して止めネジ６３により着脱可能な輪帯状の枠６２と、この枠６２の凹部６４内に設けられた輪帯状の照明基板６５と、この照明基板６５上に実装された複数の発光ダイオード２９とを有する。
【００９０】
照明基板６５に接続されたケーブル６６は、コネクタ１０４に接続されている。このコネクタ１０４は、支柱１１の上部に設けられたコネクタ１０５に対して接続、切り離し可能になっている。
【００９１】
このような構成であれば、第１の照明部７１は、固定板７５をねじ７６の締め付けにより固定したり又は緩みにより取り外し、かつケーブル３９のコネクタ８２をコネクタ８３に対して接続したり又は抜くことにより、ベース１０に対して着脱が可能である。この第１の照明部７１によって標本１９に対する透過照明ができる。
【００９２】
一方、第２の照明部９０がアーム部１２内に押し込まれると、図９に示すように第２の照明部９０の各ピン９２、９３は、アーム部１２の各枠１２ａ、１２ｂに当接して枠９１の内側に押し込まれる。そして、各ピン９２、９３が各孔１００、１０１の各位置に合わせられると、これらピン９２、９３は、各バネ９８、９９の付勢力によって各孔１００、１０１内に落ち込む。又、ケーブル５６ａのコネクタ１０４は、支柱１１の上部のコネクタ１０５に接続される。
【００９３】
これにより、第２の照明部９０は、各ピン９２、９３によってアーム部１２内に回転可能に保持される。このように第２の照明部９０は、回転可能に保持されるので、作動距離の異なる実体顕微鏡でも第２の照明部９０の角度を調整することにより照明が可能である。この第２の照明部９０により標本１９に対する傾斜照明ができる。
【００９４】
又、図１０に示すように第３の照明部６１は、対物レンズ用鏡筒１５の先端部６０に対して止めネジ６３の締め付け又は緩みによって着脱可能である。この場合、ケーブル６６のコネクタ１０４をコネクタ１０５に対して接続したり又は引抜く。この第３の照明部６１により標本１９に対するリング照明ができる。
【００９５】
このように上記第４の実施の形態によれば、上記第１乃至第３の実施の形態の効果に加えて、各第１の照明部７１、９０、６１を任意に選択し、かつ容易に着脱可能である。これにより、標本１９の観察目的に応じて透過照明、傾斜照明又はリング照明を選択でき、実体顕微鏡のシステム性とコストパフォーマンスとを優れたものにできる。
【００９６】
次に、本発明の第５の実施の形態について図面を参照して説明する。なお、図８と同一部分には同一符号を付してその詳しい説明は省略する。
【００９７】
図１１乃至図１４は実体顕微鏡の照明部のベースへの取付状態を示す図であって、図１１は断面図、図１２はベースへの挿入状態を示す図、図１３はベースへの固定状態を示す図、図１４は回転位置決めを示す図である。
【００９８】
ベース１０には、開口部１１０が設けられている。この開口部１１０には、爪部１１１が円周を３等分し、かつ所定の幅で形成されている。この爪部１１１は、円中心方向に向って突出している。この爪部１１１の内径方向の壁１１２は、押さえ板１１３の外径に嵌合している。この押さえ板１１３は、第１の照明部１１４の枠１１５の上部において乳白色板又は拡散板３０を押さえている。この押さえ板１１３には、円周を３等分し、かつ所定の幅で突起部上面１１６が形成されている。
【００９９】
爪部１１１には、下壁１１７を有する。この下壁１１７と押さえ板１１３の突起部上面１１６が当接するように、接点１１８が樹脂管１１９を介して枠１１５に対して下方向に突出して取り付けられている。
【０１００】
板バネ１２０は、接点１１８を上方向に押すようにベース１０に樹脂管１２１を介してネジ１２２及びナット１２３によって挟み込まれて固定されている。この板バネ１２０を含む部位は、図示しないが同一円周上に複数設けられている。
【０１０１】
樹脂管１２１とナット１２３との間には、端子１２４が挟み込まれている。この端子１２４には、ケーブル１２５が接続されている。さらにケーブル１２５は、ケーブル１２６を介して電源基板３８に接続されている。
【０１０２】
又、接点１１８と照明基板２８とは、ケーブル１２７を介して接続されている。爪部１１１と突起部上面１１６とは、互いに干渉しない幅に形成されている。照明部１１５の下側には、下方向に突出したガイドピン１２８が取り付けられている。
【０１０３】
ベース１０には、溝部１２９が設けられている。この溝部１２９は、図１２に示すようにガイドピン１２８が嵌まり込み、円周方向に爪部１１１と突起部上面１１６とが互いに干渉しない位置から、図１３に示すように接点１１８が板バネ１２０に接触する位置までの角度に構成されている。
【０１０４】
このような構成であれば、第１の照明部１１４をベース１０に対して着脱することが可能である。すなわち、第１の照明部１１４の枠１１５は、図１２に示すように各突起部上面１１６を各爪部１１１の間に位置合わせして開口部１１０内に落し込まれる。
【０１０５】
次に、第１の照明部１１４は、図１３に示すように回転させて各突起部上面１１６を各爪部１１１の下方に移動させる。これによって、第１の照明部１１４は、溝部１２９の端部で回転が規制され、これと同時に接点１１８と板バネ１２０とが接触する。そして、板バネ１２０の付勢力によって各突起部上面１１６が下壁１１７に押し付けられる。
【０１０６】
又、接点１１８と板バネ１２０との接触により照明基板２８は、ケーブル１２６を介して電源基板３８との間の導通が可能になる。これにより、照明基板２８に実装されている複数の発光ダイオード２９が発光する。
【０１０７】
一方、第１の照明部１１４を取り外すときは、第１の照明部１１４を取付とは逆方向、すなわち図１３に示す位置から逆回転させて図１２に示すように各突起部上面１１６を各爪部１１１の間に移動させる。これにより、接点１１８と板バネ１２０との接触が離れ、照明基板２８と電源基板３８との間が非導通になる。この状態であれば、第１の照明部１１４は、ベース１０の開口部１１０から取り外すことが可能になる。
【０１０８】
このように上記第５の実施の形態によれば、上記第１乃至４の実施の形態に加えて、第１の照明部１１４をベース１０に対して着脱するときに、ケーブルの接続や切り離しを行ったり、ひっくり返したりという煩わしい作業が無く、簡単に着脱可能であり、組立性及び保守性に優れている。
【０１０９】
次に、本発明の第６の実施の形態について図面を参照して説明する。
【０１１０】
図１５は複数の照明部のうち排他的に１つの照明部に対して電源供給を行う電源供給制御回路の構成図である。この電源供給制御回路１４０は、例えば図７に示す実態顕微鏡に取り付けた各第１の照明部７１、９０の選択に適用できる。
【０１１１】
電源基板３８上には、ＣＰＵ１４１が実装されている。このＣＰＵ１４１には、２系統の正極（＋）の各出力ライン１４２ａ、１４２ｂと、負極（−）の各出力ライン１４３ａ、１４３ｂと、各検出ライン１４４ａ、１４４ｂとが配線されている。
【０１１２】
各出力ライン１４２ａ、１４２ｂには、それぞれ各スイッチ１４５ａ、１４５ｂが接続されている。これらスイッチ１４５ａ、１４５ｂは、通常は閉状態にあり、ＣＰＵ１４１から発せられる各出力遮断信号により開状態になる。
【０１１３】
一方、第１の照明部７１には、正極の出力ライン１４２ａと負極の出力ライン１４３ａとの間に接続される発光ダイオード２９及び検出抵抗１４６ａからなる直列回路を有する。これら発光ダイオード２９と検出抵抗１４６ａとの接続点には、検出ライン１４４ａが接続されている。
【０１１４】
第２の照明部９０も同様に、正極の出力ライン１４２ｂと負極の出力ライン１４３ｂとの間に接続される発光ダイオード２９及び検出抵抗１４６ｂからなる直列回路を有する。これら発光ダイオード２９と検出抵抗１４６ｂとの接続点には、検出ライン１４４ｂが接続されている。
【０１１５】
ＣＰＵ１４１側と各第１の照明部７１、９０との間の各出力ライン１４２ａ、１４２ｂ、各出力ライン１４３ａ、１４３ｂ、各検出ライン１４４ａ、１４４ｂは、それぞれ各コネクタ１４６ａ、１４６ｂにより接続、切り離しが可能になっている。
【０１１６】
なお、各第１の照明部７１、９０には、複数の発光ダイオード２９を実装しているが、ここでは１つに省略して示す。
【０１１７】
このような電源供給制御回路１４０であれば、一方の第１の照明部７１が実体顕微鏡に設けられてコネクタ１４７ａが接続されると、ＣＰＵ１４１から出力ライン１４２ａと出力ライン１４３ａとを通して発光ダイオード２９に電力が供給される。これにより、発光ダイオード２９は発光する。
【０１１８】
この後、発光ダイオード２９及び検出抵抗１４６ａに流れることにより検出抵抗１４６ａに現れる電圧ＶＲＥが検出信号としてＣＰＵ１４１に加わる。このＣＰＵ１４１は、検出信号ＶＲＥを検知すると、他方の第２の照明部９０側のスイッチ１４５ｂに対して出力遮断信号を発する。これにより、スイッチ１４５ｂは、開状態になり、第２の照明部９０を接続しても、この第２の照明部９０に対して電力供給は行われない。
【０１１９】
これとは反対に他方の照明部９１が実体顕微鏡に設けられてコネクタ１４７ｂが接続されると、ＣＰＵ１４１から出力ライン１４２ｂと出力ライン１４３ｂとを通して発光ダイオード２９に電力が供給され、この発光ダイオード２９は発光する。
【０１２０】
この後、上記同様に、検出抵抗１４６ｂに現れる電圧ＶＲＦが検出信号としてＣＰＵ１４１に加わるので、このＣＰＵ１４１は、一方の第１の照明部７１側のスイッチ１４５ａに対して出力遮断信号を発する。これにより、スイッチ１４５ａは、開状態になり、第１の照明部７１を接続しても、この第１の照明部７１に対して電力供給は行われない。
【０１２１】
このように上記第６の実施の形態によれば、各第１の照明部７１、９０のうちいずれか一方を選択する電源供給制御回路１４０を設けたので、いずれか一方の第１の照明部７１又は９０を接続すれば、他の第２の照明部９０又は７１には電力が供給されることなく、いずれか一方の第１の照明部７１又は９０に対して安全かつ安定して電力を供給できる。
【０１２２】
又、発光ダイオード２９に異常電流が流れれば、この異常電流に対応した電圧ＶＲＥ又ＶＲＦが検出信号としてＣＰＵ１４１に加わるので、ＣＰＵ１４１は、直ちに出力遮断信号を発して各第１の照明部７１、９０への電力供給を遮断できる。
【０１２３】
なお、電源供給制御回路１４０は、図１０に示す実態顕微鏡に取り付けた各第１の照明部７１、６１の選択にも適用できる。
【０１２４】
次に、本発明の第７の実施の形態について図面を参照して説明する。なお、図７と同一部分には同一符号を付してその詳しい説明は省略する。
【０１２５】
図１６は実体顕微鏡の主要部を示す断面図である。電源基板３８には、ケーブル１５６の一端が接続されている。このケーブル１５６の他端には、コネクタ１５１が接続されている。このコネクタ１５１は、ベース１０上面から外部に出され、ベース１０の外部から接続可能になっている。
【０１２６】
第１の照明部７１に接続されているケーブル３９は、ベース１０内に敷設され、ベース１０の後方に設けられた切欠き部１５２を通してベース１０の外部に導き出されている。このケーブル３９の他端にはコネクタ１５３が接続されている。このコネクタ１５３は、ベース１０上面のコネクタ１５１に接続可能である。
【０１２７】
第２の照明部９０からのケーブル５６は、支柱１１内を通らず、支柱１１に対してバインド１５４により固定されている。このケーブル５６の他端には、コネクタ１５５が接続されている。このコネクタ１５５は、ベース１０上面のコネクタ１５１に接続可能である。
【０１２８】
一方、第１の照明部７１と第２の照明部９０との各発光ダイオード２９の個数は異なり、第１の照明部７１の発光ダイオード２９の個数の方が第２の照明部９０の発光ダイオード２９の個数よりも多くなっている。
【０１２９】
これら第１の照明部７１と第２の照明部９０とに流れる各電流値を同一にするために図１７に示す電流制御回路１６０が第１の照明部７１側に接続されている。この電流制御回路１６０は、ＣＰＵ１４１に対して２系統の正極（＋）の出力ライン１４２ａと、負極（−）の出力ライン１４３ａと、検出ライン１４４ａとが配線されている。
【０１３０】
出力ライン１４２ａには、スイッチ１４５ａが接続されている。このスイッチ１４５ａは、通常は閉状態にあり、ＣＰＵ１４１から発せられる出力遮断信号により開状態になる。
【０１３１】
第１の照明部７１において正極の出力ライン１４２ａと負極の出力ライン１４３ａとの間には、発光ダイオード２９と検出抵抗１４６ａと電流制限抵抗１５６とからなる直接回路が接続されている。電流制限抵抗１５６は、第１の照明部７１の発光ダイオード２９に流れる電流値を第２の照明部９０の発光ダイオード２９に流れる電流値と同一にするための抵抗値に設定されている。発光ダイオード２９と検出抵抗１４６ａとの接続点には、検出ライン１４４ａが接続されている。
【０１３２】
このような構成であれば、第１の照明部７１の各発光ダイオード２９を発光させて標本１９を透過照明するときには、コネクタ１５３をベース１０上面のコネクタ１５１に接続する。
【０１３３】
一方、第２の照明部９０の各発光ダイオード２９を発光させて標本１９を傾斜照明するときには、コネクタ１５５をベース１０上面のコネクタ１５１に接続する。
【０１３４】
このようにコネクタ１５３又はコネクタ１５５をベース１０上面のコネクタ１５１に選択的に接続することにより、標本１９への透過照明又は傾斜照明ができる。
【０１３５】
又、コネクタ１５１を２つ設けることで、コネクタ１５３とコネクタ１５５を双方接続するようにし、スイッチ等を用いて選択的に透過照明と傾斜照明とを切替えるようにしてもよい。
【０１３６】
この場合、第１の照明部７１の発光ダイオード２９の個数の方が第２の照明部９０の発光ダイオード２９の個数よりも多くても、電流制御回路１６０により第１の照明部７１と第２の照明部９０とに流れる電流値は、同一になる。
【０１３７】
このように上記第７の実施の形態によれば、発光ダイオード２９の個数の異なる第１の照明部７１又は第２の照明部９０を設けても、これら第１の照明部７１又は第２の照明部９０のコネクタ１５３又はコネクタ１５５をベース１０上面の１つのコネクタ１５１に兼用して選択的に接続して透過照明又は傾斜照明できる。しかも、第１の照明部７１と第２の照明部９０とに流れる電流値を電流制御回路１６０により同一にできるので、第１の照明部７１又は第２の照明部９０を選択しても故障の可能性がない。又、電流制御回路１６０は、電流制限抵抗１５６を接続するだけなので、安価でコストパフォーマンスに優れる。
【０１３８】
なお、この発明は、上記実施形態そのままに限定されるものではなく、実施段階ではその要旨を逸脱しない範囲で構成要素を変形して具体化できる。
【０１３９】
例えば、複数の発光ダイオード２９は、発光色の異なるもの、例えば白色、赤色、青色、緑色の発光色のものを工業用の観察又は生物用の観察に応じて選択して用いてもよい。
【０１４０】
又、ベース凸部２１内部に電源基板３８を取り付けたり、ベース凸部２１上に調光ボリューム３４、電源スイッチ３５及びインレット３６などを設けているが、これらを実体顕微鏡とは別体に設けてもよい。
【０１４１】
第１の照明部２５、７１、１１４は、複数の発光ダイオード２９を環状に配列してもよい。又、第１の照明部２５、７１、１１４上にリング状の絞りを載置してもよい。
【０１４２】
又、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【０１４３】
【発明の効果】
以上詳記したように本発明によれば、机上面から試料載置面までの高さを低くし、かつ標本の引っ掛りを少なくできる実体顕微鏡を提供できる。
【図面の簡単な説明】
【図１】本発明に係わる実体顕微鏡の第１の実施の形態を示す外観図。
【図２】同顕微鏡の一部断面図。
【図３】同顕微鏡における照明部の具体的な構成図。
【図４】本発明に係わる実体顕微鏡の第２の実施の形態を示す主要部の断面図。
【図５】同顕微鏡を前面上部から見た外観図。
【図６】本発明に係わる実体顕微鏡の第３の実施の形態を示す主要部の断面図。
【図７】本発明に係わる実体顕微鏡の第４の実施の形態を示す主要部の断面図。
【図８】同顕微鏡における照明部の具体的な構成図。
【図９】同顕微鏡における照明部を矢視方向Ｓから見た構成図。
【図１０】同顕微鏡にリング照明部を取り付けた場合の構成図。
【図１１】本発明に係わる実体顕微鏡の第４の実施の形態における照明部のベースへの取付状態を示す図。
【図１２】同照明部のベースへの挿入状態を示す図。
【図１３】同照明部のベースへの固定状態を示す図。
【図１４】同照明部の回転位置決めを示す図。
【図１５】本発明に係わる実体顕微鏡の第５の実施の形態における電源供給制御回路の構成図。
【図１６】本発明に係わる実体顕微鏡の第６の実施の形態を示す主要部の断面図。
【図１７】同顕微鏡における電流制御回路の構成図。
【図１８】従来の実体顕微鏡の透過照明装置の構成図。
【図１９】従来の実体顕微鏡の透過照明装置の構成図。
【符号の説明】
１０：ベース、１１：支柱、１２：アーム部、１３：焦準ハンドル、１４：実体顕微鏡本体、１５：対物レンズ用鏡筒、１６：接眼部、１７：ベース薄板部、１８：開口部、１９：標本、２０：カラスプレート、２１：ベース凸部、２２〜２４：テーパ部、２５：第１の照明部、２６：引っ掛り部、２７：枠、２８：照明基板、２９：発光ダイオード、３０：乳白色板又は拡散板、３１：止め板、３２：ビス、３３：Ｏリング、３４：調光ボリューム、３５：電源スイッチ、３６：インレット、３７：電源ケーブル、３８：電源基板、３９：ケーブル、４０：部品、５０：アーム下端、５１：第２の照明部、５２：枠、５３：ネジ、５４：照明基板、５５：ビス、５６，５６ａ，５６ｂ：ケーブル、６０：対物レンズ用鏡筒の先端部、６１：第３の照明部、６２：枠、６３：止めネジ、６４：凹部、６５：照明基板、６６：ケーブル、７０：板バネ、７１：第１の照明部、７２：引っ掛り部、７３：枠、７４：テーパ溝、７５：固定板、７６，７７：ねじ、７８：押え板、７９：下部凸部、８０：係止部、８１：小係止部、８２，８３：コネクタ、８４：ねじ、８５：ケーブル、９０：第２の照明部、９１：枠、９２，９３：ピン、９４，９５：カバー板、９６，９７：ネジ、９８，９９：バネ、１００，１０１：孔、１０２：乳白色板又は拡散板、１０３：孔部、１０４，１０５：コネクタ、１１０：ベース、１１１：爪部、１１２：壁、１１３：押さえ板、１１４：第１の照明部、１１５：枠、１１６：突起部上面、１１７：下壁、１１８：接点、１１９：樹脂管、１２０：板バネ、１２１：樹脂管、１２２：ネジ、１２３：ナット、１２４：端子、１２５，１２６，１２７：ケーブル、１２８：ガイドピン、１２９：溝部、１４０：電源供給制御回路、１４１：ＣＰＵ、１４２ａ，１４２ｂ，１４３ａ，１４３ｂ：出力ライン、１４４ａ，１４４ｂ：検出ライン、１４５ａ，１４５ｂ：スイッチ、１４６ａ，１４６ｂ：検出抵抗、１５６：ケーブル、１５１：コネクタ、１５２：切欠き部、１５３：コネクタ、１５４：バインド、１５５：コネクタ、１６０：電流制御回路、１５６：電流制限抵抗。
【図１】
2005017905.tif 000003
【図２】
2005017905.tif 000004
【図３】
2005017905.tif 000005
【図４】
2005017905.tif 000006
【図５】
2005017905.tif 000007
【図６】
2005017905.tif 000008
【図７】
2005017905.tif 000009
【図８】
2005017905.tif 000010
【図９】
2005017905.tif 000011
【図１０】
2005017905.tif 000012
【図１１】
2005017905.tif 000013
【図１２】
2005017905.tif 000014
【図１３】
2005017905.tif 000015
【図１４】
2005017905.tif 000016
【図１５】
2005017905.tif 000017
【図１６】
2005017905.tif 000018
【図１７】
2005017905.tif 000019
【図１８】
2005017905.tif 000020
【図１９】
2005017905.tif 000021